(57)【要約】登山や釣り、運動または旅行時に着用する帽子のつばに着脱可能に設置して、夜間に容易に視野を確保することができるクリップ型ランプが開示されている。上記クリップ型ランプは、両側が下向きに緩やかな曲線をなし、内部に乾電池が内蔵された本体と、上記本体の前面に設置される多数の電球と、上記本体の前面に一端部が固定され、弾性により終端部が上下に旋回運動する第１クリップ及び第２クリップであって、上記第１クリップ及び第２クリップは、各々その一端部が上記本体の前面に一体形成されて、円弧形状で上記本体の前面に突出して形成される第１突出部及び第２突出部と、上記第１突出部及び第２突出部から上記本体の後面に延びた第１クリップ固定部及び第２クリップ固定部を具備し、上記第１突出部及び第２突出部には各々第１係止溝及び第２係止溝が形成される第１クリップ及び第２クリップと、前記本体に内蔵された超音波発生器と、前記多数の電球と超音波発生器を作動させるためのスイッチとを含むことを特徴とする。
2008541348.tif 000002
【特許請求の範囲】
【請求項１】
両側が下向きに緩やかな曲線をなして内部に乾電池が内蔵された本体と、
前記本体の前面に設置される多数の電球と、
前記本体の前面に一端部が固定され、弾性により終端部が上下に旋回運動する第１クリップ及び第２クリップであって、前記第１クリップ及び第２クリップは、各々その一端部が前記本体の前面に一体形成されて、円弧形状で前記本体の前面に突出して形成される第１突出部及び第２突出部と、前記第１突出部及び第２突出部から前記本体の後面に延びた第１クリップ固定部及び第２クリップ固定部を具備し、前記第１突出部及び第２突出部には各々第１係止溝及び第２係止溝が形成される第１クリップ及び第２クリップと、
を含むことを特徴とするクリップ型ランプ。
【請求項２】
前記本体に内蔵された超音波発生器と、
前記多数の電球と超音波発生器を作動させるためのスイッチと、
を更に含むことを特徴とする請求項１記載のクリップ型ランプ。
【請求項３】
前記スイッチは、前記本体の下部の一側に半球型で突出したことを特徴とする請求項２記載のクリップ型ランプ。
【請求項４】
前記本体の上部及び下部に前記超音波発生器で発生された超音波が外部に発散されるように多数の超音波発散口を形成したことを特徴とする請求項２記載のクリップ型ランプ。
【請求項５】
両側が下向きに緩やかな曲線をなして内部に乾電池が内蔵された本体と、
前記本体の前面に設置される多数の電球と、
前記本体の前面に一端部が固定され、弾性により終端部が上下に旋回運動する第１クリップ及び第２クリップであって、前記第１クリップ及び第２クリップは各々その一端部が前記本体の前面に一体形成されて、円弧形状で前記本体の前面に突出して形成される第１突出部及び第２突出部と、前記第１突出部及び第２突出部から前記本体の後面に延びた第１クリップ固定部及び第２クリップ固定部を具備し、前記第１突出部及び第２突出部には各々第１係止溝及び第２係止溝が形成される第１クリップ及び第２クリップと、
前記本体の上部に設置される太陽電池板と、
を含むことを特徴とするクリップ型ランプ。
【請求項６】
前記本体の前面の両側に結合孔を形成し、
前記太陽電池板は、前記第１クリップと第２クリップとの間に位置する胴体、前記胴体の前面から下部の後面へ円弧形状で屈曲して延びた円弧型延長部、及び前記結合孔に着脱可能に結合され、太陽電池から蓄積された電力を内部の乾電池に印加できるように、前記円弧型延長部の後段部の両側に形成された電源印加突起を具備することを特徴とする請求項５記載のクリップ型ランプ。
【請求項７】
前記本体に内蔵された超音波発生器と、
前記多数の電球と超音波発生器を作動させるためのスイッチと、
を更に含むことを特徴とする請求項５または６記載のクリップ型ランプ。
【請求項８】
前記スイッチは、前記本体の下部の一側に半球型で突出したことを特徴とする請求項７記載のクリップ型ランプ。
【請求項９】
前記本体の上部及び下部に前記超音波発生器で発生された超音波が外部に発散されるように多数の超音波発散口を形成したことを特徴とする請求項７記載のクリップ型ランプ。
【請求項１０】
両側が下向きに緩やかな曲線をなして内部に乾電池が内蔵された本体と、
前記本体の前面に設置される多数の電球と、
前記本体に設置されるクリップ部であって、前記クリップ部は前記本体の前面から円弧形状で前方及び上方に突出しながら係止溝が形成された突出型ヘッド部を具備し、前記突出型ヘッド部の両側には前記本体の後方に延びて形成される一対の第１クリップ固定部及び第２クリップ固定部が提供され、前記第１クリップ固定部及び第２クリップ固定部の中央部は、前記本体に接し、その終端部は上方に上向き曲線をなすように形成されたクリップ部と、
を含むことを特徴とするクリップ型ランプ。
【請求項１１】
前記本体に内蔵された超音波発生器と、
前記多数の電球と超音波発生器を作動させるためのスイッチと、
を更に含むことを特徴とする請求項１０記載のクリップ型ランプ。
【請求項１２】
前記スイッチは、前記本体の下部の一側に半球型で突出したことを特徴とする請求項１１記載のクリップ型ランプ。
【請求項１３】
前記本体の上部及び下部に前記超音波発生器で発生された超音波が外部に発散されるように多数の超音波発散口を形成したことを特徴とする請求項１１記載のクリップ型ランプ。
【請求項１４】
前記本体の上部に設置される太陽電池板を更に含むことを特徴とする請求項１０記載のクリップ型ランプ。
【請求項１５】
前記本体の前面の両側に結合孔を形成し、
前記太陽電池板は、前記第１クリップと第２クリップとの間に位置する胴体、前記胴体の前面から下部の後面へ円弧形状で屈曲されて延びた円弧型延長部、及び前記結合孔に着脱可能に結合され、太陽電池から蓄積された電力を内部の乾電池に印加できるように、前記円弧型延長部の後段部の両側に形成された電源印加突起を具備することを特徴とする請求項１４記載のクリップ型ランプ。
【請求項１６】
前記本体の一側面に本体の内部に内蔵された乾電池を外部電源で充電できるように外部電源を連結する連結ジャッキを具備したことを特徴とする請求項１、５、及び１０のうち、いずれか１項記載のクリップ型ランプ。
【発明の詳細な説明】
【技術分野】
【０００１】
本発明は、クリップ型ランプに関し、より詳しくは、登山や釣り、運動または旅行時に着用する帽子のつばに着脱可能に設置して、夜間に容易に視野を確保することができ、ランプ本体の前面の両側にクリップを一体形成して帽子つばの上部の両側を２つのクリップが各々固定することで、帽子の種類によって多様な曲線をなす帽子つばの形状に拘わらず、帽子つばの外皮が破損することを防止して、容易に着脱可能であり、ランプが動いたり離脱することを防止することができ、ランプ本体の下部に電球と超音波を作動できるスイッチを具備して、着用者が帽子を着用した状態でランプの電球と超音波の作動を容易に操作できるクリップ型ランプに関する。
【背景技術】
【０００２】
一般に、登山や釣り、運動、旅行やハイキング、ジョギングなどのようなレジャー及びスポーツ活動時に陽光から顔を保護し、陽光を遮光して視野を確保するために帽子つばが前面に突出した帽子を着用することになり、夜間作業場でも上記のような帽子を着用することになる。
【０００３】
上記のように帽子を着用し、登山、釣り、及び旅行など、昼間の活動には特別な問題がないが、夜間には視野確保が困難であるので、別途のランプ、即ちフラッシュや電球などを別途に具備しなければならない不便な問題点があった。
【０００４】
そして、上記のように、登山や旅行中、夜間にフラッシュや電球などを使用者が直接手で把持して移動しなければならないので、活動が不自然であり、光が照らされる所に沿って視野を移動しなければならないので、注意が散漫になって、安全事故が起こる問題点があった。
【０００５】
また、夜間作業場などのように、手は自由で、明るい光が必要な場所では、片手にフラッシュや電球などを持って、片手のみで作業しなければならないので、不便な問題点があり、作業者が両手を使用すべき場合には、他の作業者がフラッシュや電球などをそばで持っていなければならないという問題点があった。
【０００６】
上記のような問題点を解決するために、本出願人は実用新案登録第３１２１５１号に帽子のつばに着脱可能なクリップ型ランプを発明したことがある。
【０００７】
上記のように、本出願人が発明したクリップ型ランプは、ケース２２の前方側に多数個の電球２４が設置され、ケース２２の一側に上記電球を作動するスイッチ２６が設置され、ケース２２の内部にはバッテリが内蔵され、ケース２２の上部には一側端がケース２２と一体結合されて、自体弾性を持つクリップ２８が形成された構成である。
【０００８】
上記のように構成された従来のクリップ型ランプは、帽子のつばの前面から後方へ押込んで挟むと、ケースに一端が固定されたクリップの他端が上部に移動され、ランプのケースとクリップとの間に帽子つばが挿入されて固定され、上記のように帽子つばに固定されたランプのケースの一側に設置されたスイッチを操作するにつれて電球が点灯され、前方を照らすようになる。
【０００９】
しかしながら、上記のような従来のランプは、ケースの一側にスイッチが設置されて帽子つばの下段部に位置して固定されたケースの側面を着用者が手探りしてスイッチの正確な位置を探した後、スイッチを前後に動いて電球を作動しなければならないので、不便で、かつスイッチの操作が難しいという問題点があった。
【００１０】
そして、一般に、両側端が下向きに緩やかな曲線をなして曲がった帽子つばに固定された上記ランプは、ケースの上部のクリップ中心の一部分が帽子つばを固定することで、ハイキングまたはジョギングなどのように、体をたくさん動く激烈な運動をする時にはランプが帽子つばの定位置に固定できなくて、左右に動いて着用者が見る方向とランプの光が発光する方向が互いに違うことになる問題点があり、ひどければ帽子つばからランプが離脱する問題点があった。
【００１１】
また、上記のように、両側が下向きに曲線をなした多様な種類の帽子つばに強制的にランプのクリップを挟むと、クリップのケース形状に従って帽子つばが強制的に開くとか、または曲がりながら、着用者が希望する形状の帽子つばを作り難いという問題点があり、強制的に帽子つばに設置する場合、帽子つばの外皮が裂けて破損される等の問題点があり、多様な帽子の曲線をなした帽子つばに合せてクリップを一々に別に製作しなければならないという問題点があった。
【００１２】
また、上記のように、帽子つばに固定されたランプは夜間に上記ランプの電球から発光する明かりに向けて、蚊、蛾、飛ぶ虫などのような各種害虫が集まることになるが、上記のような状態では着用者が害虫により視野を確保し難く、着用者が移動すると害虫も電球に沿って移動することで、害虫を退治できる特別な方法がないという問題点があり、ひどければ上記ランプの電球を消灯しなければならないという問題点があった。
【００１３】
また、上記のような従来のクリップ型ランプは、長時間使用する場合、ケースの内部に内蔵された消耗された乾電池を毎度交替しなければならないという問題点があった。
【発明の開示】
【発明が解決しようとする課題】
【００１４】
上記のような問題点を解決するための本発明の目的は、帽子の種類によって緩やかな曲線をなす帽子つばのいろいろな形状に拘わらず、帽子つばの形状は維持し、かつ帽子つばの外皮は破損されないながら、容易に着脱可能であり、着用者の激烈な動きにも帽子つばでランプが動いたり離脱することを防止できるクリップ型ランプを提供することにある。
【００１５】
本発明の他の目的は、クリップ型ランプの本体の下部に電球と超音波を作動できるスイッチを具備して、着用者が帽子を着用した状態でランプの電球と超音波の作動を容易に操作できるクリップ型ランプを提供することにある。
【００１６】
本発明の更に他の目的は、上記クリップ型ランプの本体の下部に超音波を外部に発散する超音波発散口を具備して、上記クリップ型ランプの電球に向かって集まる虫や害虫を退治できるクリップ型ランプを提供することにある。
【００１７】
本発明の更なる他の目的は、本体の上部に太陽電池板を具備することによって、太陽熱をエネルギー化して、上記本体の内部に内蔵された乾電池を充填した後、夜間に使用できるようにするクリップ型ランプを提供することにある。
【００１８】
本発明の更にまた他の目的は、本体の前面から円弧形状で前方及び上方に突出して形成された突出型ヘッド部を持つクリップ部を具備して、広告用文句や製品名などを記載することができるクリップ型ランプを提供することにある。
【課題を解決するための手段】
【００１９】
上記のような目的を達成するために、本発明の一実施形態に従うクリップ型ランプは、両側が下向きに緩やかな曲線をなし、内部に乾電池が内蔵された本体と、上記本体の前面に設置される多数の電球と、上記本体の前面に一端部が固定され、弾性により終端部が上下に旋回運動する第１クリップ及び第２クリップであって、上記第１クリップ及び第２クリップは、各々その一端部が上記本体の前面に一体形成されて、円弧形状で上記本体の前面に突出して形成される第１突出部及び第２突出部と、上記第１突出部及び第２突出部から上記本体の後面に延びた第１クリップ固定部及び第２クリップ固定部を具備し、上記第１突出部及び第２突出部には各々第１係止溝及び第２係止溝が形成される第１クリップ及び第２クリップと、を含むことを特徴とする。
【００２０】
上記クリップ型ランプは、上記本体に内蔵された超音波発生器と、上記多数の電球と超音波発生器を作動させるためのスイッチと、を更に含むことを特徴とする。
【００２１】
上記スイッチは、上記本体の下部の一側に半球型で突出したことを特徴とする。
【００２２】
上記本体の上部及び下部に上記超音波発生器で発生された超音波が外部に発散されるように多数の超音波発散口を形成したことを特徴とする。
【００２３】
本発明の他の一実施形態に従うクリップ型ランプは、両側が下向きに緩やかな曲線をなして内部に乾電池が内蔵された本体と、上記本体の前面に設置される多数の電球と、上記本体の前面に一端部が固定され、弾性により終端部が上下に旋回運動する第１クリップ及び第２クリップであって、上記第１クリップ及び第２クリップは各々その一端部が上記本体の前面に一体形成されて、円弧形状で上記本体の前面に突出して形成される第１突出部及び第２突出部と、上記第１突出部及び第２突出部から上記本体の後面に延びた第１クリップ固定部及び第２クリップ固定部を具備し、上記第１突出部及び第２突出部には各々第１係止溝及び第２係止溝が形成される第１クリップ及び第２クリップと、上記本体の上部に設置される太陽電池板と、を含むことを特徴とする。
【００２４】
上記本体の前面の両側に結合孔を形成し、上記太陽電池板は、上記第１クリップと第２クリップとの間に位置する胴体、上記胴体の前面から下部の後面へ円弧形状で屈曲して延びた円弧型延長部、及び上記結合孔に着脱可能に結合され、太陽電池から蓄積された電力を内部の乾電池に印加できるように、上記円弧型延長部の後段部の両側に形成された電源印加突起を具備することを特徴とする。
【００２５】
上記クリップ型ランプは、上記本体に内蔵された超音波発生器と、上記多数の電球と超音波発生器を作動させるためのスイッチと、を更に含むことを特徴とする。
【００２６】
上記スイッチは、上記本体の下部の一側に半球型で突出したことを特徴とする。
【００２７】
上記本体の上部及び下部に上記超音波発生器で発生された超音波が外部に発散されるように多数の超音波発散口を形成したことを特徴とする。
【００２８】
本発明の更に他の一実施形態に従うクリップ型ランプは、両側が下向きに緩やかな曲線をなして内部に乾電池が内蔵された本体と、上記本体の前面に設置される多数の電球と、上記本体に設置されるクリップ部であって、上記クリップ部は上記本体の前面から円弧形状で前方及び上方に突出しながら係止溝が形成された突出型ヘッド部を具備し、上記突出型ヘッド部の両側には上記本体の後方に延びて形成される一対の第１クリップ固定部及び第２クリップ固定部が提供され、上記第１クリップ固定部及び第２クリップ固定部の中央部は、上記本体に接して、その終端部は上方に上向き曲線をなすように形成されたクリップ部と、を含むことを特徴とする。
【００２９】
上記クリップ型ランプは、上記本体に内蔵された超音波発生器と、上記多数の電球と超音波発生器を作動させるためのスイッチと、を更に含むことを特徴とする。
【００３０】
上記スイッチは、上記本体の下部の一側に半球型で突出したことを特徴とする。
【００３１】
上記本体の上部及び下部に上記超音波発生器で発生された超音波が外部に発散されるように多数の超音波発散口を形成したことを特徴とする。
【００３２】
上記本体の上部に設置される太陽電池板を更に含むことを特徴とする。
【００３３】
上記本体の前面の両側に結合孔を形成し、上記太陽電池板は、上記第１クリップと第２クリップとの間に位置する胴体、上記胴体の前面から下部の後面へ円弧形状で屈曲されて延びた円弧型延長部、及び上記結合孔に着脱可能に結合され、太陽電池から蓄積された電力を内部の乾電池に印加できるように、上記円弧型延長部の後段部の両側に形成された電源印加突起を具備することを特徴とする。
【００３４】
そして、上記各実施形態に従うクリップ型ランプは、上記本体の一側面に本体の内部に内蔵された乾電池を外部電源で充電できるように外部電源を連結する連結ジャッキを具備したことを特徴とする。
【発明の効果】
【００３５】
以上、本発明のクリップ型ランプは、本体の両側が下向きに曲線をなす形状であり、前面の両側に一端部は上記本体と一体形成され、終端部は弾性により上下に移動される第１クリップと第２クリップを具備して、上記ランプが設置される帽子つばの上部の両側を第１クリップと第２クリップが各々固定することで、帽子の種類によって緩やかな曲線をなす帽子つばのいろいろな形状に拘わらず、帽子つばの形状は維持しながら帽子つばの外皮が破損しないように容易に着脱可能であり、また、着用者の激烈な動きにも帽子つばでランプが動いたり離脱したりすることを防止することができる効果がある。
【００３６】
そして、本発明のクリップ型ランプは、ランプの本体の下部に電球と超音波を作動できるスイッチを具備して、着用者が帽子を着用した状態でランプの電球と超音波の作動を容易に操作することができる効果がある。
【００３７】
また、本発明の他の効果には、上記クリップ型ランプの本体の下部に備えられた超音波発散口を通じて超音波を発生して、ランプの前面に備えられた多数の電球から発光する光に向けて、蚊、蛾、飛ぶ虫など、いろいろな虫や害虫が集まることを防止することができる。
【００３８】
また、本体の上部に太陽電池板が備えられるようにして、野外でも昼間に自体的に充填が可能であるようにし、突出型ヘッド部を持つクリップ部を具備して広告用文句などを挿入できるようにする。
【００３９】
そして、本発明は、クリップ型ランプの本体の両側の上部に備えられたクリップは、本体と一体となり、その構造が簡単で、かつ堅くて、生産性を向上させることができる非常に有用な発明である。
【発明を実施するための最良の形態】
【００４０】
以下、添付した図面を参照しつつ本発明の多様な実施形態に従うクリップ型ランプについて詳細に説明する。
【００４１】
図２は本発明の第１実施形態に従うクリップ型ランプを示す斜視図であり、図３は図２のクリップ型ランプの底面斜視図であり、図４は本発明の第１実施形態に従うクリップ型ランプを帽子つばに設置した状態を示す使用状態図であり、図５は本発明の第１実施形態に従うクリップ型ランプを帽子つばに設置した状態を正面から図示した正面図であり、図６は本発明の第１実施形態に従うクリップ型ランプが帽子つばに設置された状態の側面を示す断面図であり、図７は本発明の第１実施形態に従うクリップ型ランプが帽子つばに設置された状態の底面を示す例示図である。
【００４２】
図２及び図３に示すように、本発明の第１実施形態に従うクリップ型ランプは、両側が下向きに緩やかな曲線をなして帽子つば３００の下部に上部が密着され、内部に乾電池が内蔵された本体１１０を含む。本体１１０の前面には多数の電球１２０が備えられている。また、本体１１０の前面に一端部が固定され、弾性により終端部が上下に旋回運動する第１クリップ１３１及び第２クリップ１３２が提供される。
【００４３】
第１クリップ１３１及び第２クリップ１３２は、各々その一端部が本体１１０の前面に一体形成されて、円弧形状で本体１１０の前面に突出して形成される第１突出部１３１ａ及び第２突出部１３２ａと、第１突出部１３１ａ及び第２突出部１３２ａから上記本体の後面に延びた第１クリップ固定部１３５及び第２クリップ固定部１３６を具備する。
【００４４】
また、帽子つば３００の枠がかかってこれ以上の進行を止めるようにするために、第１突出部１３１ａ及び第２突出部１３２ａには各々第１係止溝１３１ｂ及び第２係止溝１３２ｂが形成される。
【００４５】
本発明のクリップ型ランプを帽子つば３００に容易に進入させて固定させることができるように、第１クリップ固定部１３５及び第２クリップ固定部１３６の中央部は本体１１０に接し、その終端部は上方に上向き曲線をなすように形成する。
【００４６】
前述したように、本発明に従うクリップ型ランプは、帽子に固定されるクリップを２つに分離されたスプリット形態で製作することによって、クリップを帽子に装着する際、帽子の形態をそのまま維持しながら装着できるようにすることを主な特徴とする。
【００４７】
本体１１０の下部の一側には、多数の電球１２０と本体１１０に内蔵された超音波発生器（図示せず）を作動させるためのスイッチ１４０が設置されている。また、本体１１０の上部及び下部に超音波発生器から発生された超音波が本体１１０の外部に容易に発散されるように多数の超音波発散口１５０を具備する。
【００４８】
この際、スイッチ１４０を一回押した時には電球１２０が点灯されて続けて光を発光しながら、本体１１０に内蔵された超音波発生器を動作させて超音波を発生させることになり、もう一度押すと、超音波発生器は続けて動作されながら電球１２０は一定の時間間隔で点滅することになり、更に一度押すと、電球１２０は消灯され、併せて超音波発生器の動作が止めるように制御されることができる。
【００４９】
また、スイッチ１４０は、図３に示すように、本体１１０の下部の一側に半球型で突出するようにして、使用者が容易に操作できるように実施することが望ましい。
【００５０】
一方、本体１１０の一側面に本体１１０の内部に内蔵された乾電池を外部電源に充電できるように外部電源を連結する連結ジャッキ１６０を具備することができる。
【００５１】
上記のようなクリップ型ランプ１００は、図４乃至図７に示すように、帽子の帽子つば３００がランプ１００の本体１１０と第１クリップ１３１、及び第２クリップ１３２の間に位置するように結合する。この際、第１クリップ１３１及び第２クリップ１３２の第１クリップ固定部１３５及び第２クリップ固定部１３６の終端部が本体１１０の後面の上部に上向き曲線をなすように形成されるので、帽子つば３００の前方から後方へランプ１００を押込んで容易に帽子つば３００に結合することができ、本体１１０は両側が下向きにラウンドした形状でラウンドした帽子つば３００の下段部に本体１１０の上部の全面が密着することになる。
【００５２】
この際、無理な力を加えなくても、第１クリップ固定部１３５及び第２クリップ固定部１３６の終端部が本体１１０の後面の上部に上向き曲線をなすように形成され、本体１１０は両側が下向きにラウンドした形状でラウンドした帽子つば３００の下段部に本体１１０の上部の全面が自然に密着することによって、帽子つば３００の外皮がクリップ１３０により破損することを防止できるものである。
【００５３】
上記のように帽子つば３００に設置されたクリップ型ランプ１００は、第１クリップ１３１及び第２クリップ１３２の第１突出部１３１ａ及び第２突出部１３２ａの中央に形成された係止溝１３１ｂ、１３２ｂに帽子つば３００の先端部の両側枠がかかって支持され、第１クリップ１３１及び第２クリップ１３２が帽子つば３００の両側の上部を固定することで、ハイキングまたはジョギングなどのような激烈な運動をする時にもランプ１００が帽子つば３００から離脱せず、定位置に堅く固定されるものである。
【００５４】
また、図６及び図７に示すように、クリップ型ランプ１００が帽子つば３００に固定設置された状態を見ると、帽子つば３００の先端部が第１突出部１３１ａ及び第２突出部１３２ａの第１係止溝１３１ｂ及び第２係止溝１３２ｂまで進行して位置するので、帽子つば３００がクリップ型ランプ１００の本体１１０より前面に突出して、雨天時に帽子つば３００の上部にこぼれる雨水がランプ１００の本体１１０前面に多数備えられた電球１２０に流入することを防止することができる。
【００５５】
そして、上記のように帽子つば３００に固定されたランプ１００の電球１２０を夜間に作動させなければならない場合に、着用者はランプ１００の本体１１０下部の一側に半球型で下向き突出したスイッチ１４０を上部に簡単に押すことによって、電球１２０を作動させることができる。
【００５６】
また、上記のように電球１２０が点灯して光が続けて発光されるフラッシュ機能と共に、危急な状況や有事時に、自分の位置を他人に知らせなければならない時には、スイッチ１４０をもう一度押して電球１２０から発光される光が一定の時間間隔で点滅するようにすることができる。
【００５７】
一方、本発明を実施するに当たり、図示してはいないが、スイッチ１４０をランプ１００の本体１１０の下部の両側に具備して、一側スイッチは本体１１０の前面に多数備えられた電球１２０が動作され、他側スイッチ１４０は本体１１０に内蔵された超音波発生器が各々動作されるように実施することができる。
【００５８】
そして、上記のようにクリップ型ランプ１００のスイッチ１４０を押して電球１２０を点灯すると、ランプ１００の本体１１０に内蔵された超音波発生器が同時に作動され、ランプ１００の本体１１０下部に多数形成された超音波発散口１５０に超音波を発生して、使用中に電球１２０から発光される光に向けて蚊などのような害虫が集まることを防止することができる。
【００５９】
この際、超音波発散口１５０は、射出金型などの方法により本体１１０を製造する際、射出過程で本体１１０の下部に形成される通孔を利用することができ、別途の超音波発散口１５０を本体１１０の下部の一側に形成して実施することができる。
【００６０】
一方、本発明のクリップ型ランプ１００を使用しない時には本体１１０の一側面に形成された連結ジャッキ１６０に自動車のライターソケットを連結したり、別途の外部電源を連結して、ランプ１００の本体１１０の内部に内蔵された乾電池を充電して半永久的に使用することができる。
【００６１】
以下、図８乃至図１０を参照して本発明の第２実施形態に従うクリップ型ランプについて説明する。本発明の多様な実施形態に従うクリップ型ランプに対して、同一な構成に対する図面符号は同一に記載する。
【００６２】
図８は本発明の第２実施形態に従うクリップ型ランプを示す分解斜視図であり、図９は図８のクリップ型ランプが帽子つばに設置された状態を示す例示図であり、図１０は本発明の第２実施形態に従うクリップ型ランプが帽子つばに設置された状態の側面を示す断面図である。
【００６３】
本発明の第２実施形態に従うクリップ型ランプは、本体１１０の前面の両側に一対の結合孔１７０を形成し、結合孔１７０に太陽電池板２００を結合することを除いては、本発明の第１実施形態に従うクリップ型ランプの構成と同一である。
【００６４】
図８乃至図１０に示すように、本発明の第２実施形態に従うクリップ型ランプに結合される太陽電池板２００は、上記一対のクリップ１３０の間に配置されることができる胴体２１０を具備する。胴体２１０の前面には下部の後面に円弧形状で屈曲して一体で延びる延長部２２０が形成され、延長部２２０の後段部の両側には本体１１０前面の両側に形成された結合孔１７０に着脱可能に結合され、太陽電池から蓄積された電力を内部の乾電池に印加するための電源印加突起２３０が各々形成される。
【００６５】
この際、太陽電池板２００は、図１０に示すように、帽子つば３００の上部に位置するように実施することが望ましい。
【００６６】
このような本発明の第２実施形態に従うクリップ型ランプは、ランプ１００を使用しない昼間に太陽電池板２００を通じて太陽熱をエネルギー化して、本体１１０の内部に内蔵された乾電池を充填した後、夜間に使用することができるという長所がある。
【００６７】
そして、本発明では、上記のように、太陽電池板２００をランプ１００の本体１１０に着脱可能な実施形態にして説明したが、太陽電池板２００をランプ１００の本体１１０と一体形成することもでき、本体１１０の上部に別途の固定装置により設置されることもできる。
【００６８】
また、上記太陽電池板は、太陽から光照射量を極大化させることができるように大型面積を持つことが望ましいが、このために、太陽電池板を折畳式で構成して、昼に使用する時には広く繰広げて使用し、夜に使用しない時には折畳んで別途に保管できるように折畳式構造で製作されることもできる。
【００６９】
図１１は本発明の第３実施形態に従うクリップ型ランプを示す斜視図であり、図１２は図１１の右側面図である。
【００７０】
本発明の第３実施形態に従うクリップ型ランプは、クリップの形状が変更されたことを除いては、本発明の第１実施形態に従うクリップ型ランプの構成と同一である。
【００７１】
図１１及び図１２に示すように、本発明の第３実施形態に従うクリップ型ランプは、本体１１０に設置されるクリップ部４００を具備する。クリップ部４００は、本体１１０の前面から円弧形状で前方及び上方に突出して形成された突出型ヘッド部４１０を具備する。突出型ヘッド部４１０の両側には、本体１１０の後方側に延びて形成される一対の第１クリップ固定部４１１及び第２クリップ固定部４１３が提供される。
【００７２】
帽子つば３００の枠がかかってこれ以上の進行を止めるようにするために、突出型ヘッド部４１０には係止溝４１５が形成される。
【００７３】
また、上記クリップ型ランプを帽子のつば３００に容易に進入させて固定させることができるように、第１クリップ固定部４１１及び第２クリップ固定部４１３の中央部は、本体１１０に接し、その終端部は上方に上向き曲線をなすように形成する。
【００７４】
突出型ヘッド部４１０の広い前面には、一般的な広告用文句や製品名などを記載することによって、弘報用にも使用することができる利点がある。
【図面の簡単な説明】
【００７５】
【図１】従来の技術に従うランプを示す斜視図である。
【図２】本発明の第１実施形態に従うクリップ型ランプを示す斜視図である。
【図３】図２のクリップ型ランプの底面斜視図である。
【図４】本発明の第１実施形態に従うクリップ型ランプを帽子つばに設置した状態を示す使用状態図である。
【図５】本発明の第１実施形態に従うクリップ型ランプを帽子つばに設置した状態を正面から示す正面図である。
【図６】本発明の第１実施形態に従うクリップ型ランプが帽子つばに設置された状態の側面を示す断面図である。
【図７】本発明の第１実施形態に従うクリップ型ランプが帽子つばに設置された状態の底面を示す例示図である。
【図８】本発明の第２実施形態に従うクリップ型ランプを示す分解斜視図である。
【図９】図８のクリップ型ランプが帽子つばに設置された状態を示す例示図である。
【図１０】本発明の第２実施形態に従うクリップ型ランプが帽子つばに設置された状態の側面を示す断面図である。
【図１１】本発明の第３実施形態に従うクリップ型ランプを示す斜視図である。
【図１２】図１１の右側面図である。
【図１】
2008541348.tif 000003
【図２】
2008541348.tif 000004
【図３】
2008541348.tif 000005
【図４】
2008541348.tif 000006
【図５】
2008541348.tif 000007
【図６】
2008541348.tif 000008
【図７】
2008541348.tif 000009
【図８】
2008541348.tif 000010
【図９】
2008541348.tif 000011
【図１０】
2008541348.tif 000012
【図１１】
2008541348.tif 000013
【図１２】
2008541348.tif 000014
【国際調査報告】
2008541348.tif 000015
2008541348.tif 000016
2008541348.tif 000017